(57)【特許請求の範囲】
【請求項１】
光源として、給電側の口金に一対の給電側口金ピンを備え、かつ接地側の口金に単一の接地側口金ピンを備える直管型ＬＥＤランプが用いられる照明器具であって、
天井に取り付けられる器具本体と、
前記器具本体の一端部から下方に突出すると共に、直管型ＬＥＤランプの、前記一対の給電側口金ピンが下方から挿入される給電側口金ピン挿入部を備え、かつ、前記給電側口金ピン挿入部に前記一対の給電側口金ピンが挿入された後に、前記給電側口金ピン挿入部を所定の角度だけ回動させることが可能な給電側ソケットと、
前記器具本体の他端部から下方に突出すると共に、前記直管型ＬＥＤランプの、前記単一の接地側口金ピンが下方から挿入される接地側口金ピン挿入部を備える接地側ソケットと、
前記接地側ソケットの、前記直管型ＬＥＤランプが取り付けられる側の側面に、前記単一の接地側口金ピンが前記接地側ソケットに装着されるように促す表示が設けられ、
前記表示は、前記接地側ソケットの前記側面における、前記接地側口金ピン挿入部の上方の領域、または前記接地側口金ピン挿入部の上方および前記接地側口金ピン挿入部の上端部の両側の箇所を含む領域に設けられ、かつ、前記表示は、前記直管型ＬＥＤランプが前記給電側ソケットおよび前記接地側ソケットに取り付けられると、前記直管型ＬＥＤランプによって下方から見えなくなるように設けられる照明器具。
【請求項２】
請求項１に記載の照明器具において、
前記直管型ＬＥＤランプが前記給電側ソケットおよび前記接地側ソケットに取り付けられると、前記表示の少なくとも一部は、前記直管型ＬＥＤランプの前記口金の側面によって覆われる照明器具。
【請求項３】
請求項１または請求項２に記載の照明器具において、
前記表示は、前記接地側ソケットとは異なる色に着色された、所定形状の図形からなる照明器具。
【発明の詳細な説明】
【技術分野】
【０００１】
本発明は、ＬＥＤを有する直管型ＬＥＤランプを光源として天井面に設置される照明器具に関する。
【背景技術】
【０００２】
従来より、長手方向の両端部に配置されたランプソケットに直管型の蛍光ランプを取り付けた照明器具が知られている（例えば、特許文献１参照）。
特許文献１に記載の照明器具は、直管型の蛍光ランプから光が放射状に出射されることにより、被照射対象である床面側を照射する。
【先行技術文献】
【特許文献】
【０００３】
【特許文献１】特開２００７−２１３９６８号公報（図１、請求項１）
【発明の概要】
【発明が解決しようとする課題】
【０００４】
特許文献１に記載の照明器具は、蛍光ランプの光を無用に遮ることなく輻射雑音を低減することができる。
ところで、近年のＬＥＤ技術の発展に伴い、省エネ等の観点から蛍光ランプに代えて、ＬＥＤを内蔵した直管型ＬＥＤランプを装備する照明器具が提案されている。
このような直管型ＬＥＤランプは、一方の口金側に給電側口金ピンが配置され、他方の口金側に接地側口金ピンが配置されている。
直管型ＬＥＤランプを取り付ける照明器具は、器具本体に、直管型ＬＥＤランプの給電側口金ピンにのみ電気的に接続される給電側ソケットと、直管型ＬＥＤランプの接地側口金ピンにのみ電気的に接続される接地側ソケットとを装備する。
従って、このような従来の照明器具においては、直管型ＬＥＤランプが方向性を有するにも拘わらず、給電側ソケットおよび接地側ソケットに取り付ける際に、直管型ＬＥＤランプにおける給電側口金ピンおよび接地側口金ピンを間違えて誤取付されることがある。
【０００５】
本発明は、前述した課題を解決するためになされたものであり、その目的は、直管型ＬＥＤランプの誤取付を防止できる照明器具を提供することにある。
【課題を解決するための手段】
【０００６】
本発明の照明器具は、光源として、給電側の口金に一対の給電側口金ピンを備え、かつ接地側の口金に単一の接地側口金ピンを備える直管型ＬＥＤランプが用いられる照明器具であって、天井に取り付けられる器具本体と、前記器具本体の一端部から下方に突出すると共に、直管型ＬＥＤランプの、前記一対の給電側口金ピンが下方から挿入される給電側口金ピン挿入部を備え、かつ、前記給電側口金ピン挿入部に前記一対の給電側口金ピンが挿入された後に、前記給電側口金ピン挿入部を所定の角度だけ回動させることが可能な給電側ソケットと、前記器具本体の他端部から下方に突出すると共に、前記直管型ＬＥＤランプの、前記単一の接地側口金ピンが下方から挿入される接地側口金ピン挿入部を備える接地側ソケットと、前記接地側ソケットの、前記直管型ＬＥＤランプが取り付けられる側の側面に、前記単一の接地側口金ピンが前記接地側ソケットに装着されるように促す表示が設けられ、前記表示は、前記接地側ソケットの前記側面における、前記接地側口金ピン挿入部の上方の領域、または前記接地側口金ピン挿入部の上方および前記接地側口金ピン挿入部の上端部の両側の箇所を含む領域に設けられ、かつ、前記表示は、前記直管型ＬＥＤランプが前記給電側ソケットおよび前記接地側ソケットに取り付けられると、前記直管型ＬＥＤランプによって下方から見えなくなるように設けられる。
【０００７】
本発明に係る照明器具は、前記直管型ＬＥＤランプが前記給電側ソケットおよび前記接地側ソケットに取り付けられると、前記表示の少なくとも一部は、前記直管型ＬＥＤランプの前記口金の側面によって覆われる。
【０００９】
本発明に係る照明器具は、前記表示は、前記接地側ソケットとは異なる色に着色された、所定形状の図形からなる。
【発明の効果】
【００１０】
本発明に係る照明器具によれば、直管型ＬＥＤランプの誤取付を防止できるという効果を奏する。
【図面の簡単な説明】
【００１１】
【図１】本発明に係る一実施形態の照明器具の斜め下方から視た外観斜視図
【図２】本発明に係る一実施形態の照明器具の斜め下方から視た分解斜視図
【図３】本発明に係る一実施形態の照明器具の給電側ソケットと給電側端子との組付関係を説明する外観斜視図
【図４】本発明に係る一実施形態の照明器具の接地側ソケットと接地側端子との組付関係を説明する外観斜視図
【図５】本発明に係る一実施形態の照明器具の直管型ＬＥＤランプの接地側ソケットへの取付状態の外観斜視図
【図６】本発明に係る一実施形態の照明器具の変形例の直管型ＬＥＤランプの接地側ソケットへの取付状態の外観斜視図
【図７】本発明に係る一実施形態の照明器具の他の変形例の接地側ソケットと接地側端子との組付関係を説明する外観斜視図
【図８】本発明に係る一実施形態の照明器具の他の変形例の接地側ソケットと接地側端子との組付関係を説明する外観斜視図
【図９】本発明に係る一実施形態の照明器具の他の変形例の接地側ソケットと接地側端子との組付関係を説明する外観斜視図
【図１０】本発明に係る一実施形態の照明器具の他の変形例の接地側ソケットと接地側端子との組付関係を説明する外観斜視図
【発明を実施するための形態】
【００１２】
以下、本発明に係る一実施形態の照明器具について図面を参照して説明する。
図１に示すように、本発明に係る一実施形態の照明器具１０は、器具本体（図２参照）１１と、器具本体１１の一端部に取り付けられた給電側ソケット１２と、器具本体１１の他端部に取り付けられた接地側ソケット１３とを備える。
また、照明器具１０は、給電側ソケット１２および接地側ソケット１３に電気的に接続されて機械的に取り付けられる直管型ＬＥＤランプ１４と、直管型ＬＥＤランプ１４の上方において器具本体１１に取り付けられる反射板１５とを備える。
照明器具１０は、天井面１に設置されるベースライトに適用される。
【００１３】
図２に示すように、器具本体１１は、厚みの薄い金属製板部材により成形されており、両端部に一対の給電側ソケット台１６および接地側ソケット台１７を有する。
給電側ソケット台１６には、給電側ソケット１２が下方に向けて突出して取り付けられ、接地側ソケット台１７には、接地側ソケット１３が下方に向けて突出して取り付けられる。
器具本体１１は、両端部側に一対の取付ボルト孔１８を有する。これら取付ボルト孔１８には、天井面１に設置されている取付ボルト２が挿通される。
そして、器具本体１１の下面側において座金３を介してナット４が取付ボルト２にねじ込まれることにより、器具本体１１が天井面１に取り付けられる。
器具本体１１には、電源端子台１９と、電源ブロック２０とが下面に取り付けられている。電源端子台１９には、外部から引き込まれた電源配線２１が電気的に接続される。
電源端子台１９は、電源ブロック２０に電気的に接続され、電源ブロック２０からの器具内配線２２が給電側ソケット１２および接地側ソケット１３にそれぞれ電気的に接続される。
【００１４】
直管型ＬＥＤランプ１４は、断面がほぼ円形状のガラス管２３の一端部の口金２４に、給電側ソケット１２内に収容されている不図示の一対の給電側端子受に電気的に接続される一対の給電側口金ピン２５を有する。
直管型ＬＥＤランプ１４は、ガラス管２３の他端部の口金２６に、接地側ソケット１３内に収容されている不図示の接地側端子受に電気的に接続される単一の接地側口金ピン２７を有する。
直管型ＬＥＤランプ１４は、ガラス管２３内に、複数のＬＥＤ２８を器具本体１１の長手方向に実装させたＬＥＤ基板２９を有するＬＥＤユニット３０を内蔵している。
直管型ＬＥＤランプ１４は、被照射対象に向けた照射範囲が全周に対して１／２ないし２／３である。
【００１５】
直管型ＬＥＤランプ１４は、給電側ソケット１２から給電された直流電流が給電側口金ピン２５から接地側口金ピン２７を通じて接地側ソケット１３に流れることによりＬＥＤ基板２９に有する不図示のプリント回路に直流電流が供給されてＬＥＤ２８が発光される。
なお、直管型ＬＥＤランプ１４は、一端部の口金２４に一対の給電側口金ピン２５を有し、他端部の口金２６に単一の接地側口金ピン２７を有するものに限ることはない。
例えば、一端部の口金２４に３本の給電側口金ピン２５を有し、他端部の口金２６に２本の接地側口金ピン２７を有するものや、一端部の口金２４に２本の給電側口金ピン２５を有し、他端部の口金２６に２本の接地側口金ピン２７を有するものであってもよい。
【００１６】
反射板１５は、外面に白色や乳白色に塗装された反射面３１を有する。反射板１５は、器具本体１１にねじ止めされることにより器具本体１１に一体的に組み付けられる。
反射板１５には、給電側ソケット１２と接地側ソケット１３とを挿通させるための一対のソケット挿通孔３２を有するために、器具本体１１に組み付けられた際に、給電側ソケット１２と接地側ソケット１３とが下方に向けて突出して配置される。
【００１７】
図３に示すように、給電側ソケット１２は、一対の給電側口金ピン２５が挿入される給電側口金ピン挿入部３３が形成された給電側ソケットケース３４を有する。給電側ソケットケース３４は、器具本体１１と同一の白色や乳白色の塗装が施されている。
【００１８】
図４に示すように、接地側ソケット１３は、単一の接地側口金ピン２７が挿入される接地側口金ピン挿入部３５が形成された接地側ソケットケース３６を有する。接地側ソケットケース３６は、器具本体１１と同一の白色や乳白色の塗装が施されている。
そして、接地側ソケット１３の接地側ソケットケース３６の直管型ＬＥＤランプ１４の取付側の側面に表示部３７を有する。給電側ソケット１２の給電側ソケットケース３４は、表示部３７を有さない。
【００１９】
表示部３７は、直管型ＬＥＤランプ１４の脱着を行う使用者に対して、接地側ソケット１３に直管型ＬＥＤランプ１４の単一の接地側口金ピン２７を取り付けるように促すためのものである。
従って、使用者が直管型ＬＥＤランプ１４の脱着を行う際に、表示部３７により、直管型ＬＥＤランプ１４の単一の接地側口金ピン２７を接地側ソケット１３に間違いなく取り付けるように促されることにより、直管型ＬＥＤランプ１４の誤取付を防止できる。
【００２０】
表示部３７は、接地側ソケットケース３６の塗装色とは異なる、例えば赤色であって三角形に形成されている。
従って、表示部３７が、接地側ソケット１３の接地側ソケットケース３６と異なる色であるために、使用者が直管型ＬＥＤランプ１４の脱着を行う際に、目立つことにより、直管型ＬＥＤランプ１４の接地側口金ピン２７の挿入が正しいことを確認できる。
【００２１】
表示部３７は、直管型ＬＥＤランプ１４の接地側口金ピン２７の挿入方向に沿った延長線上に配置される。
従って、使用者が直管型ＬＥＤランプ１４の脱着を行う際に、接地側ソケット１３の接地側口金ピン挿入部３５の近傍を見るだけで、直管型ＬＥＤランプ１４の接地側口金ピン２７の方向性が正しいことを確認できる。
なお、表示部３７は、その色が、赤色に代えて黄色や黒色等の接地側ソケット１３の色彩とは異なるものでもよく、さらに、三角形状に代えて星形状や丸形状に形成されてもよい。
【００２２】
直管型ＬＥＤランプ１４は、単一の接地側口金ピン２７が接地側ソケットケース３６の接地側口金ピン挿入部３５に最初に挿入された後に、一対の給電側口金ピン２５が給電側ソケットケース３４の給電側口金ピン挿入部３３に挿入される。
そして、直管型ＬＥＤランプ１４は、あらかじめ定められた角度だけ回動されることにより、ＬＥＤ２８が照射対象方向に向けられて、一対の給電側口金ピン２５が給電側端子受に、単一の接地側口金ピン２７が接地側端子受に、それぞれ電気的に接続される。
【００２３】
図５に示すように、直管型ＬＥＤランプ１４は、他端部の口金２６が接地側ソケットケース３６に有する表示部３７を十分に覆って配置される。
従って、直管型ＬＥＤランプ１４が取り付けられた際に、接地側ソケットケース３６の表示部３７が直視されないために、意匠面で良好にできる。
【００２４】
図６に示すように、本発明に係る一実施形態の照明器具１０の変形例は、直管型ＬＥＤランプ１４が接地側ソケット１３に取り付けられた際に、直管型ＬＥＤランプ１４の他端部の口金２６により一部が隠れる位置に表示部３７を有する。
【００２５】
図７に示すように、本発明に係る一実施形態の照明器具１０の他の変形例は、接地側ソケット１３の接地側ソケットケース３６の下面であって、接地側口金ピン挿入部３５の近傍に表示部３７を有する。
【００２６】
図８に示すように、本発明に係る一実施形態の照明器具１０の他の変形例は、接地側ソケット１３の接地側ソケットケース３６の下面であって、接地側口金ピン挿入部３５の近傍および直管型ＬＥＤランプ１４の他端部の口金２６に表示部３７をそれぞれ有する。
一対の表示部３７は、合わせマークとして機能する。
【００２７】
図９に示すように、本発明に係る一実施形態の照明器具１０の他の変形例は、接地側ソケット１３の接地側ソケットケース３６の直管型ＬＥＤランプ１４の取付側の側面に、接地の意味を表すアースの活字表示の表示部３７を有する。
【００２８】
図１０に示すように、本発明に係る一実施形態の照明器具１０の他の変形例は、接地側ソケット１３の接地側ソケットケース３６の直管型ＬＥＤランプ１４の取付側の側面に丸印状の表示部３７を有する。
表示部３７は、接地側ソケット１３の接地側ソケットケース３６とは異なる色であって、直管型ＬＥＤランプ１４の他端部の口金２６の外径寸法Ｌ１よりも十分に小さい外径寸法Ｌ２を有する。
【００２９】
以上、説明したように一実施形態の照明器具１０によれば、使用者が直管型ＬＥＤランプ１４の脱着を行う際に、表示部３７により、直管型ＬＥＤランプ１４の単一の接地側口金ピン２７を接地側ソケット１３に間違いなく取り付けるように促されることにより、直管型ＬＥＤランプ１４の誤取付を防止できる。
【００３０】
また、一実施形態の照明器具１０によれば、直管型ＬＥＤランプ１４が取り付けられた際に、接地側ソケットケース３６の表示部３７が直視されないために、意匠面で良好にできる。
【００３１】
そして、一実施形態の照明器具１０によれば、使用者が直管型ＬＥＤランプ１４の脱着を行う際に、接地側ソケット１３を見るだけで、直管型ＬＥＤランプ１４の接地側口金ピン２７の方向性が正しいことを確認できる。
【００３２】
さらに、一実施形態の照明器具１０によれば、表示部３７が、接地側ソケットケース３６と異なる色であるために、使用者が直管型ＬＥＤランプ１４の脱着を行う際に、直管型ＬＥＤランプ１４の接地側口金ピン２７の挿入が正しいことを確認できる。
【００３３】
なお、本発明の照明器具において器具本体，反射板，電源端子台，電源ブロック等は、前述した一実施形態に限定されるものでなく、適宜な変形や改良等が可能である。
【符号の説明】
【００３４】
１０  照明器具
１１  器具本体
１２  給電側ソケット（第１ソケット）
１３  接地側ソケット（第２ソケット）
１４  直管型ＬＥＤランプ
２５  給電側口金ピン（一方の口金ピン）
２７  接地側口金ピン（他方の口金ピン）
３７  表示部
【図１】
0005656287.tif 000002
【図２】
0005656287.tif 000003
【図３】
0005656287.tif 000004
【図４】
0005656287.tif 000005
【図５】
0005656287.tif 000006
【図６】
0005656287.tif 000007
【図７】
0005656287.tif 000008
【図８】
0005656287.tif 000009
【図９】
0005656287.tif 000010
【図１０】
0005656287.tif 000011